【手続補正書】
【提出日】平成24年11月14日(2012.11.14)
【手続補正１】
【補正対象書類名】特許請求の範囲
【補正対象項目名】全文
【補正方法】変更
【補正の内容】
【特許請求の範囲】
【請求項１】
遊技機に固定された固定部と、
前記固定部に対し回動可能に取り付けられた回動部と
を備え、
前記回動部の回動操作量に応じた発射速度で遊技球を発射する発射手段を備える前記遊技機に設置されて用いられる遊技機用ハンドルにおいて、
前記回動部と前記固定部との隙間にコインを挿入したときに、前記隙間から出ている前記コインに当接する突起部を備え、
前記突起部は、
前記隙間の開口部からの距離が、前記隙間から出ている前記コインの重心までの距離よりも近い位置に設けられ、
かつ、
前記隙間に挿入されている前記コインの端部側を支点に前記コインを持上げ可能な高さに形成されていることを特徴とする遊技機用ハンドル。
【請求項２】
請求項１に記載の遊技機用ハンドルにおいて、
前記突起部は、前記固定部に設けられていることを特徴とする遊技機用ハンドル。
【請求項３】
請求項１に記載の遊技機用ハンドルにおいて、
前記突起部は、前記回動部に設けられていることを特徴とする遊技機用ハンドル。
【請求項４】
請求項１〜３のいずれかに記載の遊技機用ハンドルにおいて、
前記突起部の少なくとも一部は、
複数の突起を、前記コインの直径よりも狭い間隔毎に、前記回動部の軸周りに沿って並べて設置したものであることを特徴とする遊技機用ハンドル。
【手続補正２】
【補正対象書類名】明細書
【補正対象項目名】０００２
【補正方法】変更
【補正の内容】
【０００２】
従来の遊技機用ハンドルは、図７に示すように、ハンドル本体に回動リングが回動可能に装着されており、これらハンドル本体と回動リングとの間にコインを挟むと、回動リングがハンドル本体に対して固定することが出来る構造となっている（特許文献１）。
【特許文献１】特開２００１−１７０２６７号公報
【手続補正３】
【補正対象書類名】明細書
【補正対象項目名】０００３
【補正方法】変更
【補正の内容】
【０００３】
しかし、特定の遊技客が、本来固定できない回動リングを固定して遊技してしまうと、回動リングを固定せず正常に遊技している遊技客との間に不公平が生じる。
そのため、回動リングを固定する行為は禁止しなければならないが、限られた従業員だけでは監視が十分行き届かず、結果として、回動リングの固定する行為を防止することは難しいという実状がある。
【手続補正４】
【補正対象書類名】明細書
【補正対象項目名】０００５
【補正方法】変更
【補正の内容】
【０００５】
上記目的を達成するためになされた請求項１に記載の発明は、遊技機に固定された固定部と、前記固定部に対し回動可能に取り付けられた回動部とを備え、前記回動部の回動操作量に応じた発射速度で遊技球を発射する発射手段を備える前記遊技機に設置されて用いられる遊技機用ハンドルにおいて、前記回動部と前記固定部との隙間にコインを挿入したときに、前記隙間から出ている前記コインに当接する突起部を備え、この突起部は、前記隙間の開口部からの距離が、前記隙間から出ている前記コインの重心までの距離よりも近い位置に設けられ、かつ、前記隙間に挿入されている前記コインの端部側を支点に前記コインを持上げ可能な高さに形成されていることを特徴とするものである。
【手続補正５】
【補正対象書類名】明細書
【補正対象項目名】０００６
【補正方法】変更
【補正の内容】
【０００６】
この請求項１に記載の遊技機用ハンドルのハンドル本体等の固定部と回動部との隙間にコインを挟むと、隙間から出ている部分のコインは、隙間に挿入されたコインの端部側を支点に突起部によって持上げられる。
【手続補正６】
【補正対象書類名】明細書
【補正対象項目名】０００９
【補正方法】変更
【補正の内容】
【０００９】
従って、本発明の遊技機用ハンドルを用いると、コインを用いて回動部を固定しようとしても固定できないので、回動部を固定する行為を確実に防止することができる。
尚、突起部は、例えば、請求項２に記載したように、固定部に設けてもよいし、請求項３に記載したように、回動部に設けてもよい。
【手続補正７】
【補正対象書類名】明細書
【補正対象項目名】００１１
【補正方法】変更
【補正の内容】
【００１１】
【図１】パチンコ機を正面から見た正面模式図である。
【図２】本実施形態の遊技機用ハンドル１を側面から見た断面図で、遊技機用ハンドル１については、この遊技機用ハンドル１を構成する回動リングの回動軸を通る断面図で示している。
【図３】遊技機用ハンドル１を側面から見た断面図で、遊技機用ハンドル１については、この遊技機用ハンドル１を構成する回動リングの回動軸αを通る断面図で示している。
【図４】遊技機用ハンドル１を側面から見た断面図で、遊技機用ハンドル１については、この遊技機用ハンドル１を構成する回動リングの回動軸αを通る断面図で示している。
【図５】ハンドル本体の回動リング側の側面の正面図である。
【図６】他の実施形態の遊技機用ハンドル１の説明図で、（ａ）遊技機用ハンドル１の正面図、及び、（ｂ）（ａ）のＡ−Ａ’断面で示した側面図である。
【図７】従来の遊技機用ハンドルの側面図である。
【手続補正８】
【補正対象書類名】明細書
【補正対象項目名】００１２
【補正方法】変更
【補正の内容】
【００１２】
以下、本発明が適用された実施形態について図面を用いて説明する。
ここで、図１は、パチンコ機を正面から見た正面模式図である。
図２は、本実施形態の遊技機用ハンドル１を側面から見た断面図で、遊技機用ハンドル１については、この遊技機用ハンドル１を構成する回動リングの回動軸を通る断面図で示している。
【手続補正９】
【補正対象書類名】明細書
【補正対象項目名】００２１
【補正方法】変更
【補正の内容】
【００２１】
回動リング１４は、軸αに沿った方向で見て、ハンドル本体１２が支柱部１０に固定されている側とは反対側のハンドル本体１２の側面１２１上に回動可能に取り付けられている。
【手続補正１０】
【補正対象書類名】明細書
【補正対象項目名】００２２
【補正方法】変更
【補正の内容】
【００２２】
この回動リング１４は、略円板状に形成されており、この円板の中心軸と軸αとが一致するように配置されるとともに、この軸αを回動軸として回動可能にハンドル本体１２に取り付けられている。
【手続補正１１】
【補正対象書類名】明細書
【補正対象項目名】００２３
【補正方法】変更
【補正の内容】
【００２３】
また、この回動リング１４は、支柱部１０よりも大径な円板状に形成されるとともに、ハンドル本体１２の側面１２１に対向する回動面１４０の縁部には、この回動面１４０の縁部に沿って設けられ、かつ、軸αに沿ってパチンコ機９側に向かって立設されたフランジ部１４１が形成されている。
【手続補正１２】
【補正対象書類名】明細書
【補正対象項目名】００２５
【補正方法】変更
【補正の内容】
【００２５】
キャップ部１６は、回動リング１４の回動軸に垂直な側面のうち、ハンドル本体１２に対向する側とは反対側の側面に取り付けられる。
（３．突起部１２０について）
次に、突起部１２０について、詳細に説明する。
【手続補正１３】
【補正対象書類名】明細書
【補正対象項目名】００３７
【補正方法】変更
【補正の内容】
【００３７】
特にこの遊技機用ハンドル１は、この開口部３０ａを形成する、一体型回動リング１５のフランジ部１５１が、一体型回動リング１５の回動軸方向の厚みが薄く形成されているので（具体的には、厚さ４．２ｍｍ）、コインを開口部３０ａに挿入しようとしてもハンドル本体１２上で滑って、コインを挿入できないように構成されている。
（その２）
上記実施形態では、突起部１２０を、隙間３の開口部３０から７ｍｍの位置に設けた例について示した。
【手続補正１４】
【補正対象書類名】明細書
【補正対象項目名】００４２
【補正方法】変更
【補正の内容】
【００４２】
１…遊技機用ハンドル、３…隙間、９…パチンコ機、１０…支柱部、１２…ハンドル本体、１４…回動リング、１６…キャップ部、３０…開口部、９１…打突杵、９２…発射装置、９９…遊技域、１２０…突起部、１２１…側面、１２２…外周面、１２３…フランジ部、１２９…突起、１４０…回動面、１４１…フランジ部、１４２…突起部